(57)【要約】【課題】器具本体に対する保持力を高めた光源ユニット及びそれを用いた照明器具を提供する。【解決手段】第２カバー体２９は、取付部材２１に取り付けられた状態で一対の側壁部２１２の各々と対向する一対の立壁部２９３を有する。引掛部材３０は、一対の立壁部２９３のうち対向する立壁部２９３側に突出する第１突起部３０１１を有する。一対の立壁部２９３のうち引掛部材３０と対向する少なくとも一方の立壁部２９３は、撓み部と規制部とを有する。撓み部は、引掛部材３０の移動時に第１突起部３０１１が接触することにより撓む。規制部は、引掛部材３０を第１位置へ移動させることにより撓み部が元の位置に復帰した状態で引掛部材３０が第２位置へ移動するのを規制する。【選択図】図８
2016100220.tif 000002
【特許請求の範囲】
【請求項１】
光源と、
長尺且つ矩形板状に形成され前記光源が取り付けられる底壁部、及び前記底壁部の幅方向における両端から前記底壁部と交差する方向で且つ前記光源と反対側に突出する一対の側壁部を有する取付部材と、
少なくとも一部が透光性を有する材料で箱形に形成され、前記光源を覆うように前記取付部材に取り付けられるカバーと、
長尺状に形成された器具本体に取り付けるための取付機構と、
前記器具本体に設けられた引掛部に引っ掛けられる第１位置と前記引掛部から外れる第２位置との間で移動する引掛部材とを備え、
前記カバーは、前記取付部材に取り付けられた状態で前記一対の側壁部の各々と対向する一対の立壁部を有し、
前記引掛部材は、前記一対の立壁部のうち対向する立壁部側に突出する突起部を有し、
前記一対の立壁部のうち前記引掛部材と対向する少なくとも一方の立壁部は、前記引掛部材の移動時に前記突起部が接触することにより撓む撓み部と、
前記引掛部材を前記第１位置へ移動させることにより前記撓み部が元の位置に復帰した状態で前記引掛部材が前記第２位置へ移動するのを規制する規制部とを有していることを特徴とする光源ユニット。
【請求項２】
前記撓み部は、前記一対の立壁部のうち少なくとも一方の立壁部における他の部位よりも厚みの薄い薄肉部からなることを特徴とする請求項１記載の光源ユニット。
【請求項３】
前記突起部は第１突起部であり、
前記一対の立壁部のうち少なくとも一方の立壁部は、前記一対の側壁部のうち対向する側壁部側に突出する第２突起部を有し、前記カバーを前記取付部材に取り付けた状態では前記第２突起部が前記一対の側壁部のうち対向する側壁部に接触しており、
前記撓み部は、前記一対の立壁部のうち前記第２突起部を有する立壁部における前記第２突起部のない部位からなることを特徴とする請求項１記載の光源ユニット。
【請求項４】
請求項１〜３の何れか１項に記載の光源ユニットと、前記器具本体とを備えていることを特徴とする照明器具。
【発明の詳細な説明】
【技術分野】
【０００１】
本発明は、光源ユニット及びそれを用いた照明器具に関し、より詳細には、光源を覆う透光性のカバーを備えた長尺の光源ユニット及びそれを用いた照明器具に関する。
【背景技術】
【０００２】
従来、天井板に直付けされる天井直付け型の照明器具が提供されている（例えば特許文献１参照）。特許文献１に記載された照明器具は、天井板に取り付けられる器具本体と、器具本体に取り付けられる光源部と、光源部を器具本体に取り付けるための係止部材とを備える。そして、光源部は、器具本体の下面側に設けられた収容凹部にその一部が収容された状態で、係止部材を介して器具本体に取り付けられる。
【先行技術文献】
【特許文献】
【０００３】
【特許文献１】特開２０１２−３９９３号公報
【発明の概要】
【発明が解決しようとする課題】
【０００４】
上述の特許文献１に示した照明器具では、光源部の重さのみが係止部材に加えられる場合には、係止部材の保持力によって光源部を保持することができる。しかしながら、例えば光源部に対してプルスイッチが付加された場合には、プルスイッチの引き紐を引く力の大きさによっては係止部材に加えられる力が係止部材の保持力を超える可能性があった。
【０００５】
本発明は上記問題点に鑑みてなされており、器具本体に対する保持力を高めた光源ユニット及びそれを用いた照明器具を提供することを目的とする。
【課題を解決するための手段】
【０００６】
本発明の光源ユニットは、光源と、長尺且つ矩形板状に形成され前記光源が取り付けられる底壁部、及び前記底壁部の幅方向における両端から前記底壁部と交差する方向で且つ前記光源と反対側に突出する一対の側壁部を有する取付部材と、少なくとも一部が透光性を有する材料で箱形に形成され、前記光源を覆うように前記取付部材に取り付けられるカバーと、長尺状に形成された器具本体に取り付けるための取付機構と、前記器具本体に設けられた引掛部に引っ掛けられる第１位置と前記引掛部から外れる第２位置との間で移動する引掛部材とを備え、前記カバーは、前記取付部材に取り付けられた状態で前記一対の側壁部の各々と対向する一対の立壁部を有し、前記引掛部材は、前記一対の立壁部のうち対向する立壁部側に突出する突起部を有し、前記一対の立壁部のうち前記引掛部材と対向する少なくとも一方の立壁部は、前記引掛部材の移動時に前記突起部が接触することにより撓む撓み部と、前記引掛部材を前記第１位置へ移動させることにより前記撓み部が元の位置に復帰した状態で前記引掛部材が前記第２位置へ移動するのを規制する規制部とを有していることを特徴とする。
【０００７】
本発明の照明器具は、上記の光源ユニットと、前記器具本体とを備えていることを特徴とする。
【発明の効果】
【０００８】
本発明の構成によれば、器具本体に対する保持力を高めた光源ユニット及びそれを用いた照明器具を提供することができる。
【図面の簡単な説明】
【０００９】
【図１】本発明の実施形態に係る照明器具の全体斜視図である。
【図２】本発明の実施形態に係る照明器具において器具本体から光源ユニットを取り外した状態の斜視図である。
【図３】本発明の実施形態に係る光源ユニットの分解斜視図である。
【図４】図４Ａは本発明の実施形態に係る照明器具に用いられる第２カバー体の一例を示す外観斜視図、図４Ｂは本発明の実施形態に係る照明器具に用いられる第２カバー体の別の例を示す外観斜視図である。
【図５】本発明の実施形態に係る照明器具に用いられる引掛部材の外観斜視図である。
【図６】本発明の実施形態に係る照明器具の一部省略せる拡大図である。
【図７】図７Ａ及び図７Ｂは本発明の実施形態に係る照明器具に用いられる引掛部材の動作を説明する説明図である。
【図８】図８Ａ〜図８Ｃは本発明の実施形態に係る光源ユニットにおいて第２カバー体と引掛部材の動作を説明する説明図である。
【図９】図９Ａ〜図９Ｃは本発明の実施形態に係る光源ユニットにおいて第２カバー体と引掛部材の動作を説明する別の説明図である。
【図１０】図１０Ａ〜図１０Ｃは本発明の実施形態に係る光源ユニットにおいて第２カバー体と引掛部材の動作を説明するさらに別の説明図である。
【図１１】図１１Ａ〜図１１Ｃは本発明の実施形態に係る光源ユニットにおいて第２カバー体と引掛部材の動作を説明するさらに別の説明図である。
【発明を実施するための形態】
【００１０】
本発明の実施形態に係る光源ユニット２及び照明器具１０について、図面を参照しながら具体的に説明する。ただし、以下に説明する構成は、本発明の一例に過ぎず、本発明は下記の実施形態に限定されない。したがって、この実施形態以外であっても、本発明に係る技術思想を逸脱しない範囲であれば、設計等に応じて種々の変更が可能である。
【００１１】
なお、以下の説明では特に断りがない限り、図１において上下、前後、左右の各方向を規定する。したがって、本実施形態では、器具本体１の長手方向が前後方向、器具本体１の幅方向が左右方向、器具本体１の高さ方向が上下方向となる。
【００１２】
本実施形態の照明器具１０は、図１及び図２に示すように、器具本体１と、光源ユニット２とを備える。器具本体１は、天井板を通して室内側に露出する吊ボルトに固定され、天井板の下面（天井面）に直付けされる。光源ユニット２は、器具本体１に対して着脱自在に取り付けられる。
【００１３】
器具本体１は、板金に曲げ加工することにより長尺且つ上面（天井板との対向面）が開口する扁平な箱形に形成されている。また、器具本体１は、光源ユニット２を収容するための矩形の凹部１１が、下面側（天井板と反対側）で且つ長手方向（前後方向）の全長に亘って設けられている。さらに、凹部１１の左右方向（幅方向）における両側には、凹部１１の開口端縁から延出し、且つ外側に向かって上方へ傾斜する傾斜部１２がそれぞれ設けられている（図１及び図２参照）。
【００１４】
また、凹部１１の底壁部１１１には、電線を通すための孔１１１Ａが前後方向（長手方向）における略中央に設けられている。さらに、底壁部１１１には、吊ボルトを通すための孔１１１Ｂが前後方向における両端寄りの位置にそれぞれ設けられている。また、凹部１１の前後方向における両端には、底壁部１１１と対向するように配置された矩形の引掛板１３がそれぞれ設けられている。そして、底壁部１１１の下面には、外部からの電源線が接続される端子台が取り付けられている。
【００１５】
光源ユニット２は、図２及び図３に示すように、取付部材２１と、複数（例えば、２つ）のＬＥＤモジュール２２と、カバー２３と、カバーエンド２４と、電源装置と、プルスイッチ２６と、一対の引掛部材３０とを備える。
【００１６】
ＬＥＤモジュール２２は、前後方向に長い矩形板状に形成されたプリント配線板２２１を有する。プリント配線板２２１は、その下面に複数のＬＥＤ（発光ダイオード）２２２が前後方向（長手方向）に沿って実装されている。また、一方のＬＥＤモジュール２２の後端には、電源装置との間を電気的に接続するためのコネクタが実装されている。このコネクタにはリード線が接続されており、リード線の端部を電源装置に接続することでＬＥＤモジュール２２と電源装置とが電気的に接続される。
【００１７】
また、各ＬＥＤモジュール２２において隣接するＬＥＤモジュール２２と対向する端部には、電源供給用のコネクタがそれぞれ実装されている。そして、両ＬＥＤモジュール２２のコネクタ同士を接続することで、一方のＬＥＤモジュール２２から他方のＬＥＤモジュール２２に点灯電力が中継される。ここに、本実施形態では、ＬＥＤモジュール２２により光源が構成されている。
【００１８】
取付部材２１は、板金に曲げ加工することによりＵ字状に形成され、長尺且つ矩形板状に形成された底壁部２１１と、底壁部２１１の左右方向（幅方向）における両端から上向き（底壁部２１１と交差する方向）に突出する一対の側壁部２１２とで構成される。各側壁部２１２の先端（上端）には、外向きに折り曲げることで形成された引掛部２１２１がそれぞれ全長に亘って設けられている。
【００１９】
底壁部２１１の後端には、ＬＥＤモジュール２２と電源装置とを電気的に接続する上記リード線を通すための貫通孔が設けられている。なお、上述したＬＥＤモジュール２２は、例えば取付部材２１の底壁部２１１の一部を切り起こすことで形成された爪２１１１により底壁部２１１の下面に固定される。
【００２０】
また、取付部材２１は、図３に示すように、長手方向における両端寄りの位置において幅方向の一端側（左側）に延びる一対の引掛金具２１４と、幅方向の他端側（右側）に配置される一対の引掛ばねとを有している。
【００２１】
カバー２３は、図１〜図３に示すように、第１カバー体２３Ａと第２カバー体２９の２つの部材で構成される。
【００２２】
第１カバー体２３Ａは、拡散性を有する材料（例えば乳白色のアクリル樹脂）により上面が開口する長尺の箱形に形成されている。また、第１カバー体２３Ａは、左右方向（幅方向）において両端側から中央側に近づくほど下側への突出量が大きくなるような凸レンズ形状の曲面部２３１を有している。
【００２３】
曲面部２３１の左右方向における両端には、互いに並行するように上向きに突出する一対の突壁部２３３がそれぞれ一体に形成されている。また、各突壁部２３３の先端（上端）には、内向きに突出する突起部２３３０が設けられている。さらに、曲面部２３１の左右方向における両端には、曲面部２３１と連なるように各突壁部２３３の外側まで延出する延出部２３２がそれぞれ一体に形成されている。
【００２４】
そして、第１カバー体２３Ａは、各突壁部２３３の突起部２３３０が取付部材２１の各側壁部２１２の引掛部２１２１に引っ掛かることにより、ＬＥＤモジュール２２の前方（下方）を覆うように取付部材２１の下面側に取り付けられる。
【００２５】
第２カバー体２９は、図４Ａに示すように、第１カバー体２３Ａの曲面部２３１と同一の曲面形状を有する曲面部２９０、曲面部２９０の一端を塞ぐエンド部２９１（図３参照）、曲面部２９０の他端側の周縁から突出する突出片２９２などが一体に形成されている。曲面部２９０の中央部分には、矩形状に開口する孔２９００が設けられている。
【００２６】
また、曲面部２９０の裏面（上面）には、互いに並行するように上向きに突出する一対の立壁部２９３が曲面部２９０と一体に形成されている。各立壁部２９３には、前後方向に長い長孔からなり且つ厚み方向に貫通する貫通孔２９３０が設けられている。なお、本実施形態では、透光性を有しない合成樹脂材料で第２カバー体２９を形成している。
【００２７】
カバーエンド２４は、第１カバー体２３Ａと同じ材料で半円板状に形成され、第１カバー体２３Ａ及び取付部材２１の長手方向（前後方向）における一端（後端）に取り付けられる。
【００２８】
プルスイッチ２６は、内部に設けられた接点が端子台と電源装置の間に挿入され、プルスイッチ２６の引き紐を引く毎に電源装置に給電される状態と、電源装置への給電が停止される状態とが切り替えられる。なお、プルスイッチ２６は従来周知のものであり、詳細な説明については省略する。
【００２９】
また、プルスイッチ２６は、図６に示すように保持部材２７に保持される。保持部材２７は、一面（上面）が開口する矩形箱状の合成樹脂成形体からなり、その内部にプルスイッチ２６を収納して保持するように構成される。
【００３０】
また、保持部材２７は、台座２８を介して取付部材２１に取り付けられる。台座２８は、矩形板状の主部と、主部の左右方向における両側から上向きに突出する角筒状の一対の突部２８１とが合成樹脂成形体として一体に形成されている（図７Ａ及び図７Ｂ参照）。
【００３１】
この台座２８は、取付部材２１の底壁部２１１に設けられた一対の貫通孔２１１０（図３参照）に、一対の突部２８１をそれぞれ嵌め込むことで取付部材２１に取り付けられる。なお、ＬＥＤモジュール２２の端近くに実装された複数個のＬＥＤ２２２は、取付部材２１に取り付けられた台座２８で隠される。
【００３２】
引掛部材３０は、例えばＳＰＣＣなどの冷間圧延鋼板に曲げ加工することにより形成される。この引掛部材３０は、図５に示すように、前後方向に長い矩形板状に形成された主部３０１と、主部３０１の先端（前端）において一体に設けられた矩形の引掛部３０２と、主部３０１の先端且つ下端において一体に設けられた操作部３０３とを有する。
【００３３】
操作部３０３は、主部３０１から側方（主部３０１の厚み方向と平行な方向）に延出し、且つその先端が下向きに折り曲げられたＬ字状に形成されている。また、主部３０１の中央部分には、前後方向に長い長孔からなり且つ厚み方向に貫通する貫通孔３０１０が設けられている。さらに、主部３０１における貫通孔３０１０の後方には、厚み方向に突出する第１突起部３０１１（突起部）が設けられている。
【００３４】
この引掛部材３０は、主部３０１の長手方向と取付部材２１の長手方向とが同じ方向となるように配置され、貫通孔３０１０に通した段付きねじ２３５を取付部材２１の側壁部２１２に設けられたねじ孔２１２０にねじ込むことにより側壁部２１２に取り付けられる。また、引掛部材３０は、側壁部２１２に取り付けられた状態で側壁部２１２に沿って前後方向に移動可能となっており、側壁部２１２は引掛部材３０のガイドとして機能する。
【００３５】
次に、光源ユニット２の組立手順について具体的に説明する。
【００３６】
まず最初に、作業者は、電源装置を取付部材２１の底壁部２１１の上面側に取り付け、さらに爪２１１１によりＬＥＤモジュール２２を取付部材２１の底壁部２１１の下面に固定する。その後、作業者は、ＬＥＤモジュール２２のコネクタより引き出されたリード線を取付部材２１の底壁部２１１に設けた貫通孔に通し、その端部を電源装置に接続する。さらに、作業者は、プルスイッチ２６を保持部材２７の内部に収納して保持させる。このとき、作業者は、プルスイッチ２６の引き紐を保持部材２７の外側に引き出しておく。
【００３７】
次に、作業者は、保持部材２７に台座２８を取り付けた後、保持部材２７の先端側（下端側）を第２カバー体２９の曲面部２９０の孔２９００に、曲面部２９０の裏面側（上側）から挿通させる。さらに、作業者は、保持部材２７及び台座２８を取り付けた第２カバー体２９を第１カバー体２３Ａに取り付ける。
【００３８】
このとき、第２カバー体２９の突出片２９２が、第１カバー体２３Ａの端部（曲面部２３１の端部）の内側に嵌め込まれることにより、第２カバー体２９が第１カバー体２３Ａに取り付けられる。第２カバー体２９が第１カバー体２３Ａに取り付けられた状態では、第２カバー体２９の曲面部２９０と第１カバー体２３Ａの曲面部２３１とが面一になる。なお、第１カバー体２３Ａ及び第２カバー体２９は、接着剤により互いに接着されるのが好ましい。
【００３９】
そして、作業者は、開口側を上向きにした状態でカバー２３（第１カバー体２３Ａ及び第２カバー体２９）を取付部材２１に組み付ける。このとき、第１カバー体２３Ａの各突壁部２３３にそれぞれ設けた突起部２３３０が、取付部材２１の各側壁部２１２にそれぞれ設けた引掛部２１２１に引っ掛かり、カバー２３が取付部材２１に取り付けられる。
【００４０】
最後に、作業者は、引掛部材３０の貫通孔３０１０及び第２カバー体２９の貫通孔２９３０に段付きねじ２３５を通し、取付部材２１のねじ孔２１２０に段付きねじ２３５をねじ込む。これにより、第２カバー体２９及び引掛部材３０が取付部材２１に取り付けられる。
【００４１】
またこのとき、作業者は、第１カバー体２３Ａの各突壁部２３３に設けた貫通孔に段付きねじを通し、取付部材２１のねじ孔２１２０に段付きねじをねじ込む。これにより、第１カバー体２３Ａが取付部材２１に取り付けられる。以上の手順に従って、光源ユニット２が組み立てられる。
【００４２】
続けて、照明器具１０の施工手順について具体的に説明する。
【００４３】
まず最初に、施工者は、天井裏に先行配線された電源線を器具本体１の孔１１１Ａに通し、さらに室内側に露出する吊りボルトを孔１１１Ｂに通した後、吊りボルトにナットをねじ込んで器具本体１を固定する。その後、施工者は、孔１１１Ａに通した電源線の端部を端子台に接続し、さらに端子台と電源装置との間をリード線により接続する。このとき、端子台と電源装置との間にプルスイッチ２６の接点を挿入させる。
【００４４】
そして最後に、施工者は、器具本体１の一方の側壁部１１２に設けられた一対の挿通孔１１２Ａにそれぞれ引掛金具２１４の先端を引っ掛けた後、一対の引掛ばねを器具本体１の他方の側壁部１１２に設けられた引掛部に引っ掛ける。この状態から、施工者が、引掛金具２１４を支点として光源ユニット２を持ち上げるように回転させると、引掛ばねが引掛部に引っ掛かったままで元の状態に戻ることにより、引掛ばねのばね力で光源ユニット２が器具本体１に保持される。以上の手順に従って、照明器具１０が天井に施工される。
【００４５】
ところで、本実施形態のようにプルスイッチ２６を備えている場合には、プルスイッチ２６の引き紐を引く力の大きさによっては引掛ばねのみで光源ユニット２を保持できない可能性がある。そこで、本実施形態では、器具本体１に対する光源ユニット２の保持力を高められるように引掛部材３０を用いている。
【００４６】
そして、取付機構（引掛金具２１４及び引掛ばね）により光源ユニット２を器具本体１に取り付けた状態から、操作部３０３を操作して引掛部材３０を前方にスライドさせ、器具本体１の引掛板１３に引掛部３０２を引っ掛ける（図７Ｂ参照）。これにより、取付機構のみで光源ユニット２を保持させる場合に比べて、器具本体１に対する光源ユニット２の保持力を高めることができる。
【００４７】
また、器具本体１から光源ユニット２を取り外す際には、操作部３０３を操作して引掛部材３０を後方にスライドさせ、引掛部３０２が引掛板１３に引っ掛からない位置まで引掛部材３０を後退させる（図７Ｂ参照）。ここに、本実施形態では、図７Ｂに示す引掛部材３０の位置が第１位置であり、図７Ａに示す引掛部材３０の位置が第２位置である。また、本実施形態では、引掛板１３により引掛部が構成される。
【００４８】
また、本実施形態では、図６に示すように、光源ユニット２を器具本体１に取り付けた状態において引掛部材３０の操作部３０３が器具本体１の外側に露出している。そのため、光源ユニット２を器具本体１に取り付けた後で操作部３０３を操作することができる。
【００４９】
図８Ａは第２カバー体２９及び引掛部材３０を取付部材２１に取り付けた状態を示す要部断面図である。なお、図８Ａでは片側のみを図示しているが、反対側も同様の構造を有しており、以下では片側についてのみ説明を行う。
【００５０】
第２カバー体２９を取付部材２１に取り付けた状態では、一対の立壁部２９３の各々が一対の側壁部２１２の各々と対向するように配置される。また、引掛部材３０を取付部材２１に取り付けた状態では、主部３０１に設けられた第１突起部３０１１が、一対の立壁部２９３のうち対向する立壁部２９３側に突出している。
【００５１】
したがって、引掛部材３０を前後方向（図８Ａ中の紙面に垂直な方向）に移動させる際には、第１突起部３０１１が対向する立壁部２９３に乗り上げることになる。そのため、立壁部２９３の厚みが厚い場合には、引掛部材３０を移動させる際に大きな力が必要になる。
【００５２】
そこで、本実施形態では、図４Ａに示すように、立壁部２９３における上側で且つ後側の部位、すなわち第１突起部３０１１が乗り上げる部位の厚みを他の部位よりも薄くし、薄肉部２９３１を形成している。このように、第１突起部３０１１が乗り上げる部位を薄肉部２９３１とすることで立壁部２９３が撓みやすくなり、小さな力で引掛部材３０を移動させることができる。
【００５３】
続けて、引掛部材３０を移動させる動作について、図８Ａ〜図９Ｃを参照しながら具体的に説明する。なお、図８Ｂ及び図８Ｃについても片側のみを図示しているが、反対側も同様の構造を有していることは言うまでもない。
【００５４】
図８Ａは引掛部材３０の引掛部３０２が引っ込められた状態を示す要部断面図、図９Ａは引掛部３０２が引っ込められた状態を側方から見た平面図である。このとき、主部３０１に設けられた第１突起部３０１１は、第２カバー体２９の立壁部２９３に乗り上げておらず、薄肉部２９３１は撓んでいない。
【００５５】
操作部３０３を操作して引掛部材３０を前方にスライドさせると、図９Ｂに示すように、第１突起部３０１１も前方に移動して薄肉部２９３１に乗り上げる。このとき、第１突起部３０１１が薄肉部２９３１に乗り上げることで、立壁部２９３が内側（第１突起部３０１１と反対側）に撓む（図８Ｂ参照）。
【００５６】
操作部３０３を操作して引掛部材３０をさらに前方にスライドさせると、引掛部３０２が前方に突出して器具本体１の引掛板１３に引っ掛けられる。これにより、光源ユニット２が器具本体１に強固に取り付けられる。このとき、第１突起部３０１１は、図９Ｃに示すように、立壁部２９３に設けられた貫通孔２９３０内に入り込んでいる。その結果、立壁部２９３の薄肉部２９３１は、第１突起部３０１１から加えられていた力がなくなることで、元の位置に復帰する（図８Ｃ参照）。
【００５７】
またこのとき、図９Ｃに示すように、第１突起部３０１１が貫通孔２９３０の後端縁に引っ掛かっており、これにより引掛部材３０の後方（第２位置側）への移動が規制される。ここに、本実施形態では、立壁部２９３の薄肉部２９３１により撓み部が構成され、立壁部２９３の貫通孔２９３０により規制部が構成される。
【００５８】
上述の実施形態では、立壁部２９３に設けた薄肉部２９３１を撓み部とした。これに対して、図４Ｂに示すように、立壁部２９３の上側で且つ前側の部位に内向きに突出する第２突起部２９３２を設け、この第２突起部２９３２が設けられていない後側の部位を撓み部としてもよい。ただし、この場合、上記撓み部が撓みやすいように、立壁部２９３全体の厚みを薄肉部２９３１と同程度に設定するのが好ましい。
【００５９】
図１０Ａは第２カバー体２９及び引掛部材３０を取付部材２１に取り付けた状態を示す要部断面図である。なお、図１０Ａでは片側のみを図示しているが、反対側も同様の構造を有しており、以下では片側についてのみ説明を行う。
【００６０】
第２カバー体２９を取付部材２１に取り付けた状態では、一対の立壁部２９３の各々が一対の側壁部２１２の各々と対向するように配置される。また、引掛部材３０を取付部材２１に取り付けた状態では、主部３０１に設けられた第１突起部３０１１が、一対の立壁部２９３のうち対向する立壁部２９３側に突出している。
【００６１】
さらに、立壁部２９３に設けられた第２突起部２９３２は、一対の側壁部２１２のうち対向する側壁部２１２に接触しており、これにより立壁部２９３と側壁部２１２との間に第２突起部２９３２の高さ分の隙間が形成される。
【００６２】
続けて、引掛部材３０を移動させる動作について、図１０Ａ〜図１１Ｃを参照しながら具体的に説明する。なお、図１０Ｂ及び図１０Ｃについても片側のみを図示しているが、反対側も同様の構造を有していることは言うまでもない。
【００６３】
図１０Ａは引掛部材３０の引掛部３０２が引っ込められた状態を示す要部断面図、図１１Ａは引掛部３０２が引っ込められた状態を側方から見た平面図である。このとき、主部３０１に設けられた第１突起部３０１１は、第２カバー体２９の立壁部２９３に乗り上げておらず、立壁部２９３は撓んでいない。
【００６４】
操作部３０３を操作して引掛部材３０を前方にスライドさせると、図１１Ｂに示すように、第１突起部３０１１も前方に移動して立壁部２９３に乗り上げる。このとき、第１突起部３０１１が立壁部２９３に乗り上げることで、立壁部２９３が内側（第１突起部３０１１と反対側）に撓む（図１０Ｂ参照）。
【００６５】
操作部３０３を操作して引掛部材３０をさらに前方にスライドさせると、引掛部３０２が前方に突出して器具本体１の引掛板１３に引っ掛けられる。これにより、光源ユニット２が器具本体１に強固に取り付けられる。このとき、第１突起部３０１１は、図１１Ｃに示すように、立壁部２９３に設けられた貫通孔２９３０内に入り込んでいる。その結果、立壁部２９３は、第１突起部３０１１から加えられていた力がなくなることで、元の位置に復帰する（図１０Ｃ参照）。
【００６６】
またこのとき、図１１Ｃに示すように、第１突起部３０１１が貫通孔２９３０の後端縁に引っ掛かっており、これにより引掛部材３０の後方（第２位置側）への移動が規制される。ここに、本実施形態では、立壁部２９３における第２突起部２９３２のない後側の部位により撓み部が構成され、立壁部２９３の貫通孔２９３０により規制部が構成される。
【００６７】
本実施形態によれば、器具本体１に設けられた引掛板１３に引っ掛けられる第１位置へ引掛部材３０を移動させることで、引掛ばねのばね力のみで光源ユニット２を保持させる場合に比べて、器具本体１に対する光源ユニット２の保持力を高めることができる。
【００６８】
また、本実施形態のように、引掛部材３０の第１突起部３０１１が接触する部分を撓み構造とすることで、撓み構造がない場合に比べて、引掛部材３０を移動させる際に加える力を小さくすることができる。さらに、上述の光源ユニット２を用いることによって、器具本体１に対する光源ユニット２の保持力を高めた照明器具１０を提供することができる。
【００６９】
なお、本実施形態では、取付部材２１の幅方向における両側にそれぞれ引掛部材３０を設けたが、取付部材２１の幅方向における少なくとも一方に引掛部材３０を設けてあればよく、本実施形態に限定されない。また、プルスイッチ２６については必ずしも必要でなく、プルスイッチ２６を持たない照明器具であってもよい。
【００７０】
さらに、本実施形態では、段付きねじ２３５により引掛部材３０を取付部材２１に取り付けたが、引掛部材３０を取付部材２１に取り付けることができ、且つ取付部材２１に対して前後方向に移動可能な状態で引掛部材３０を保持できるようになっていればよい。したがって、例えばハトメなどによって引掛部材３０を取付部材２１に取り付けてもよい。
【００７１】
また、本実施形態の撓み部は一例であって、引掛部材３０の第１突起部３０１１が接触する際に撓むようになっていればよく、例えば弾性の異なる２種類の材料を用いた２色成形により立壁部２９３を成形してもよい。また、本実施形態の規制部も一例であって、引掛部材３０が第１位置にある状態で第２位置への移動を規制できるようになっていればよく、例えば引掛部材３０が第１位置にある状態で第１突起部３０１１が嵌まり込む窪みを規制部としてもよい。
【００７２】
以上説明したように、本実施形態の光源ユニット２は、ＬＥＤモジュール２２（光源）と、取付部材２１と、カバー２３（第１カバー体２３Ａ及び第２カバー体２９）と、取付機構（引掛金具２１４及び引掛ばね）と、引掛部材３０とを備える。取付部材２１は、長尺且つ矩形板状に形成されＬＥＤモジュール２２が取り付けられる底壁部２１１、及び底壁部２１１の幅方向における両端から底壁部２１１と交差する方向で且つＬＥＤモジュール２２と反対側に突出する一対の側壁部２１２を有する。カバー２３は、少なくとも一部が透光性を有する材料で箱形に形成され、ＬＥＤモジュール２２を覆うように取付部材２１に取り付けられる。前記取付機構は、長尺状に形成された器具本体１に取り付けるために用いられる。引掛部材３０は、器具本体１に設けられた引掛板１３（引掛部）に引っ掛けられる第１位置と、引掛板１３から外れる第２位置との間で移動する。第２カバー体２９は、取付部材２１に取り付けられた状態で一対の側壁部２１２の各々と対向する一対の立壁部２９３を有する。引掛部材３０は、一対の立壁部２９３のうち対向する立壁部２９３側に突出する突起部（第１突起部３０１１）を有する。一対の立壁部２９３のうち引掛部材３０と対向する少なくとも一方の立壁部２９３は、撓み部（薄肉部２９３１）と規制部（貫通孔２９３０）とを有する。前記撓み部は、引掛部材３０の移動時に前記突起部が接触することにより撓む。前記規制部は、引掛部材３０を第１位置へ移動させることにより前記撓み部が元の位置に復帰した状態で引掛部材３０が第２位置へ移動するのを規制する。
【００７３】
上記構成によれば、器具本体１に設けられた引掛板１３に引っ掛けられる第１位置へ引掛部材３０を移動させることで、前記取付機構のみで光源ユニット２を保持させる場合に比べて、器具本体１に対する光源ユニット２の保持力を高めることができる。
【００７４】
また、本実施形態の光源ユニット２のように、前記撓み部は、一対の立壁部２９３のうち少なくとも一方の立壁部２９３における他の部位よりも厚みの薄い薄肉部２９３１からなるのが好ましい。
【００７５】
上記構成によれば、立壁部２９３において引掛部材３０の前記突起部が接触する部分を撓み構造とすることで、撓み構造がない場合に比べて、引掛部材３０を移動させる際に加える力を小さくすることができる。
【００７６】
また、本実施形態の光源ユニット２のように、前記突起部は第１突起部３０１１であり、一対の立壁部２９３のうち少なくとも一方の立壁部２９３は、一対の側壁部２１２のうち対向する側壁部２１２側に突出する第２突起部２９３２を有するのが好ましい。この場合、第２カバー体２９を取付部材２１に取り付けた状態では第２突起部２９３２が一対の側壁部２１２のうち対向する側壁部２１２に接触している。そして、前記撓み部は、一対の立壁部２９３のうち第２突起部２９３２を有する立壁部２９３における第２突起部２９３２のない部位からなる。
【００７７】
上記構成によれば、立壁部２９３において引掛部材３０の前記突起部が接触する部分を撓み構造とすることで、撓み構造がない場合に比べて、引掛部材３０を移動させる際に加える力を小さくすることができる。
【００７８】
本実施形態の照明器具１０は、上述の光源ユニット２と、器具本体１とを備えている。
【００７９】
上記構成によれば、上述の光源ユニット２を用いることによって、器具本体１に対する光源ユニット２の保持力を高めた照明器具１０を提供することができる。
【符号の説明】
【００８０】
１  器具本体
２  光源ユニット
１０  照明器具
１３  引掛板（引掛部）
２１  取付部材
２２  ＬＥＤモジュール（光源）
２３  カバー
２３Ａ  第１カバー体
２９  第２カバー体
３０  引掛部材
２１１  底壁部
２１２  側壁部
２１４  引掛金具
２９３  立壁部
３０１１  第１突起部（突起部）
２９３０  貫通孔（規制部）
２９３１  薄肉部（撓み部）
２９３２  第２突起部
【図１】
2016100220.tif 000003
【図２】
2016100220.tif 000004
【図３】
2016100220.tif 000005
【図４】
2016100220.tif 000006
【図５】
2016100220.tif 000007
【図６】
2016100220.tif 000008
【図７】
2016100220.tif 000009
【図８】
2016100220.tif 000010
【図９】
2016100220.tif 000011
【図１０】
2016100220.tif 000012
【図１１】
2016100220.tif 000013